(57)【特許請求の範囲】
【請求項１】
棒状支持体（１１）を有し、その一方の軸端には軟質弾性プラスチックからなる歯間清浄体（１２）、反対側の軸端には軟質弾性プラスチックからなり複数の突出した清浄要素（１５）を有し、歯の表面の清浄を行うブラシ状の清浄部（１４）が配置されており、その際棒状支持体（１１）は軟質弾性プラスチックからなる握り部（１６）を備え、その際握り部（１６）は、少なくとも一つの結合部（１７）を介して前記歯間清浄体（１２）及びブラシ状の清浄部（１４）の少なくともいずれかと一つのまとまった部品に結合されている口又は歯清浄器具（１０）において、棒状支持体（１１）の前記清浄部（１４）と反対側上においてその同じ軸端に、突出したこそげ要素（２３）を有する舌こそげ部（２２）が配置されており、その際舌こそげ部（２２）のこそげ要素（２３）は、支持部（１９）から突出する複数のフィン（２４）によって形成されており、フィンは形状安定性のプラスチックから、しかも棒状支持体（１１）と同じ材料から構成され、棒状支持体と一つのまとまった部品に結合されていることを特徴とする口又は歯清浄器具。
【請求項２】
フィン（２４）は、棒状支持体（１１）の長手方向に直角に延び、間隔をおいて順次配置されていることを特徴とする請求項１記載の口又は歯清浄器具。
【請求項３】
フィン（２４）は複数の同心円に配置されていることを特徴とする請求項１又は２記載の口又は歯清浄器具。
【請求項４】
握り部（１６）は棒状支持体（１１）の軸方向の長さの中央領域に配置されていることを特徴とする請求項１から３のいずれか１項に記載の口又は歯清浄器具。
【請求項５】
歯間清浄体（１２）は放射状に突出する一つにまとまって形成された清浄要素（１３）を有することを特徴とする請求項１から４のいずれか１項に記載の口又は歯清浄器具。
【請求項６】
清浄部（１４）の清浄要素（１５）は少なくとも部分的に支持部（１９）に一つにまとまって形成された指状突起（２０）によって形成されていることを特徴とする請求項１から５のいずれか１項に記載の口又は歯清浄器具。
【請求項７】
清浄部（１４）の清浄要素（１５）は少なくとも部分的に支持部（１９）に一つにまとまって形成された薄片（２１）によって形成されていることを特徴とする請求項１から６のいずれか１項に記載の口又は歯清浄器具。
【請求項８】
薄片（２１）はそれぞれ波形又はジグザグ状に延びることを特徴とする請求項７記載の口又は歯清浄器具。
【請求項９】
薄片（２１）は複数の同心円に配置されていることを特徴とする請求項８記載の口又は歯清浄器具。
【請求項１０】
歯間清浄体（１２）、清浄部（１４）、舌こそげ部（２２）の少なくともいずれかの材料は添加物が設けられていることを特徴とする請求項１から９のいずれか１項に記載の口又は歯清浄器具。
【請求項１１】
添加物は味覚物質又は殺菌作用を持った物質又は歯の清浄を促進する物質であることを特徴とする請求項１０記載の口又は歯清浄器具。
【請求項１２】
添加物は歯間清浄体（１２）、清浄部（１４）、舌こそげ部（２２）の少なくともいずれかの外側に設けられていることを特徴とする請求項１０又は１１記載の口又は歯清浄器具。
【請求項１３】
添加物は歯間清浄体（１２）、清浄部（１４）、舌こそげ部（２２）の少なくともいずれかの材料中に埋め込まれていることを特徴とする請求項１０又は１１記載の口又は歯清浄器具。
【発明の詳細な説明】
【技術分野】
【０００１】
本発明は、棒状支持体を有する口又は歯清浄器具に関し、その支持体の一方の軸端には軟質弾性プラスチックからなる歯間清浄体が、また反対側の軸端には軟質弾性プラスチックからなり複数の突出した清浄要素を有するブラシ状の清浄部が配置され、棒状支持体は軟質弾性プラスチックからなる握り部を有するものである。
【背景技術】
【０００２】
対応する口又は歯清浄器具は知られている（特許文献１参照）。それは形状安定性のプラスチック製の棒状支持体から構成され、支持体はその前側の軸端に爪楊枝の形をした軟質弾性プラスチックから構成される歯間清浄体を持っている。その反対側の軸端に、口又は歯清浄器具は、ふさ状の端部を持った剛毛（剛毛タフト）を備え同様に軟質弾性プラスチックから構成されるブラシ状の清浄部を持っている。棒状支持体には、歯間清浄体と清浄部との間に軟質弾性プラスチックからなる握り部が形成されており、この握り部は使用者が口又は歯清浄器具を確実につかみ得ることを可能にする。
【０００３】
口又は歯清浄器具の機能性に対しては、歯間清浄体、清浄部の軟質弾性プラスチックと握り部の軟質弾性プラスチックとの間に、棒状支持体に対するしっかりと固定して持続性の結合が存在することが基本である。このことは、棒状支持体におけるアンダカットによってたしかに達成されるが、それによって口又は歯清浄器具を製造するための道具に費用がかかり高価になる。
【先行技術文献】
【特許文献】
【０００４】
【特許文献１】欧州特許出願公開第２１７９６７７Ａ１号明細書
【発明の概要】
【発明が解決しようとする課題】
【０００５】
本発明は、上述のような多機能の口又は歯清浄器具であって、簡単なやり方で機能領域の軟質弾性プラスチックと棒状支持体との間の良好な結合が与えられる清浄器具を得るという課題に基づくものである。
【課題を解決するための手段】
【０００６】
この課題は本発明に従えば、請求項１の特徴を持った口又は歯清浄器具によって解決される。
【０００７】
この場合、同様に、棒状支持体の一方の軸端に配置された軟質弾性プラスチックから構成される歯間清浄体に加えて、棒状支持体の反対側の軸端にブラシ状の清浄部が配置され、この清浄部は複数の突出した清浄要素を有する同様に軟質弾性プラスチックから構成されることが提供される。
【０００８】
さらに加えて、好ましくは棒状支持体の軸方向の長さの中間領域に軟質弾性プラスチックからなる握り部が形成されており、この握り部は使用者が口又は歯清浄器具を握り確実に保持することを容易にすることが提供されている。さらに補足して、握り部の表面は突出した隆起、例えばフィン又はいぼ状突起で形成されることが可能である。
【０００９】
口又は歯清浄器具の全体的安定性を高めるために、本発明に従えば、握り部は少なくとも一つの好ましくはブリッジ状結合部を介して歯間清浄体及びブラシ状の清浄部の少なくともいずれかと単一のないしは一つのまとまった部品に結合されることが提供されている。このようにして、歯間清浄体又はブラシ状の清浄部は使用の際棒状支持体から外れることはない。何故ならそれらは握り部との結合によって棒状支持体上に組み合わされて保持されているからである。本発明の有利な実施形態においては、握り部は歯間清浄体及びブラシ状の清浄部のいずれとも結合ブリッジを介して一つのまとまった部品に結合されている。この場合、歯間清浄体、ブラシ状の清浄部及び握り部は同じ軟質弾性プラスチックから構成される。
【００１０】
口又は歯清浄器具は、２成分又は多成分射出成形法で造られる。その第１工程において、棒状支持体は好ましくは形状安定性のプラスチック（ポリプロピレン(ＰＰ)、ポリエチレン(ＰＥ)又はポリエチレンテレフタレート(ＰＥＴ)）から射出され、その場合プラスチックは例えば繊維又は球体によって強化されることが可能である。次いで第２工程において、好ましくは同時に握り部、歯間清浄体及びブラシ状の清浄部は棒状支持体上へ噴射され、その場合握り部、歯間清浄体及び清浄部は、例えば熱可塑性エラストマー又はシリコーン又はＥＰＤＭ（エチレンプロピレンジエンモノマー）から構成することができる。
【００１１】
好ましくは歯間清浄体は放射状に突出し一つにまとまって形成された清浄要素を備える。歯間清浄体の放射状に突出する清浄要素は、剛毛状の指状突起、いぼ状突起又はフィンとすることができる。
【００１２】
ブラシ状の清浄部の清浄要素は、少なくとも部分的に、支持体に一つにまとまって形成された指状突起によって形成されることが可能である。その際好ましくは、相並んで配置され、特に平行に整列された多数の指状突起が提供され、指状突起はそれらの下端においてそれぞれ支持部と一つにまとまって結合されている。指状突起も支持部もともに軟質弾性プラスチックから構成される。
【００１３】
それに代えて又はそれに付加して、ブラシ状の清浄部の清浄要素は、少なくとも部分的に支持部にまとまって形成された薄片によって形成されることが可能である。薄片は、指状突起より大きな空間的安定性を有し、その結果薄片を介して清浄すべき面及び特に歯表面に比較的高い清浄力が起こされる。このことは特に、本発明の発展形態において薄片がそれぞれ波形又はジグザグ状に延びる場合に与えられる。
【００１４】
本発明の別の実施形態においては、薄片は複数の同心円に配置されるようにすることが提供される。
【００１５】
棒状支持体の一方の軸端に形成された歯間清浄体は、歯の隙間を清浄にするために用いられ、一方ブラシ状の清浄部は歯の表面を清浄にするために用いられるべきものである。本発明の発展形態においては、棒状支持体の清浄部と反対側上においてその同じ軸端に、突出したこそげ要素を持った舌こそげ部(タングクリーナー)が配置されることを提供することができる。その際舌こそげ部のこそげ要素は、支持部から突出した複数のフィンによって形成され得る。
【００１６】
使用者はブラシ状の清浄部によって歯表面を清浄した後、使用者は口又は歯清浄器具をただ１８０°回転することが必要なだけで、そのあと舌こそげ部で舌の表面を清浄することができる。好ましくは舌こそげ部は同様に軟質弾性プラスチックから、そして特に歯間清浄体、清浄部、握り部の少なくともいずれかと同一の軟質弾性プラスチックから構成される。その際、舌こそげ部は清浄部と一体のないしはまとまった部品に結合され、また特に舌こそげ部と清浄部とはそれらの清浄要素ないしフィンに対する共通のベースとして支持部を用いるようにすることが提供可能である。
【００１７】
本発明の有利な実施形態においては、舌こそげ部のフィンは棒状支持体の長手方向に直角に延び、順次間隔をおいて配置されるようにすることが提供される。その際特に、フィンは三日月形に曲げられるようにすることが提供可能である。
【００１８】
しかしそれに代えてまた、フィンは複数の同心円に配置されることも可能である。
【００１９】
本発明の発展形態では、舌こそげ部のフィンは軟質弾性プラスチックではなく、棒状支持体と同じ材料、すなわち特に形状安定性のプラスチックから構成されるようにすることが提供可能である。この方法では、フィンは極めて高い剛性を持ち、それによって舌の表面上のこそげ又はひっかき作用が改善される。
【００２０】
好ましくは、フィンはこの場合棒状支持体と単一のないし一つにまとまった部品に結合されており、２成分又は多成分射出成形法において支持体と一緒に第１工程で造られることが可能である。
【００２１】
本発明の発展形態においては、歯間清浄体、ブラシ状の清浄部、舌こそげ部の少なくともいずれかの材料は添加物を備えるようにすることが提供される。添加物としては、例えば味覚物質又は殺菌作用を持った物質又は歯の清浄を促進する物質であり得る。その際、本発明の可能な別の実施形態においては、添加物は歯間清浄体、清浄部、舌こそげ部の材料中へ通常のやり方で導入されるないし埋め込まれるようにすることが提供可能である。
【００２２】
本発明の代替の実施形態においては、添加物は歯間清浄体、清浄部、舌こそげ部の少なくともいずれかの外側に、完全に又は部分的に設けられるようにすることが提供可能である。このことは、例えば噴射によって又は浸漬法で行われ得る。材料中への添加物の埋め込みに対する主要な利点は、歯間清浄体、清浄部、舌こそげ部の少なくともいずれかが異なる添加物を備え得ることにある。さらにまた、歯間清浄体、清浄部、舌こそげ部の少なくともいずれかは、特定の領域にのみ添加物を備えることが可能である。
【００２３】
これまで記述された口又は歯清浄器具は部品として製造され、市場に出されることができるが、複数の口又は歯清浄器具をプラスチックからなる薄いブリッジを介して相並んで整列して互いに結び合わせることも可能であり、その結果複数の口又は歯清浄器具からなるストライプが形成され、そのストライプから使用者が入用のときにはブリッジを折ることによって一つの口又は歯清浄器具を取り出すことができる。
【００２４】
本発明のさらなる詳細及び特徴は、図に関連した実施例の以下の説明から明らかである。
【図面の簡単な説明】
【００２５】
【図１】第１実施例に従う口又は歯清浄器具の遠近法による側面図を示す。
【図２】図１に従う口又は歯清浄器具の背面図を示す。
【図３】図１に従う口又は歯清浄器具の第１の変形を示す。
【図４】図１に従う口又は歯清浄器具の第２の変形を示す。
【図５】第２の実施例に従う口又は歯清浄器具の遠近法による平面図を示す。
【図６】図５に従う口又は歯清浄器具の遠近法による下面図を示す。
【図７】図５に従う口又は歯清浄器具の変形を示す。
【発明を実施するための形態】
【００２６】
図１及び２に従えば、一つの口又は歯清浄器具１０が棒状支持体１１を有し、この支持体は人間工学上の理由からたわみやすくなっており、形状安定性のプラスチック、特に強化された又は強化されないＰＰ、ＰＥ又はＰＥＴから構成される。棒状支持体１１の図１に従う右側の軸端において、支持体には軟質弾性プラスチック、特に熱可塑性のエラストマー又はシリコーン又はＥＰＤＭからなる歯間清浄体１２が形成されている。歯間清浄体１２は棒状又はさや状の基礎部２５を有し、その外表面上に多数の放射状外側に突出する清浄要素１３が剛毛状の指状突起の形に形成されている。棒状の基礎部２５及び清浄要素１３は、軟質弾性プラスチック、特に熱可塑性エラストマー又はシリコーンから構成され、そして好ましくは棒状支持体上へ噴射形成されている。
【００２７】
反対側の軸端、すなわち図１に従う棒状支持体１１の左端において、支持体にはブラシ状の清浄部１４が配置されている。清浄部１４は板状の支持部１９から構成され、この支持部はその表面に、多数の放射状に上方へ突出し平行に整列しかつそれらの上端が円錐形になっている指状突起２０を備える。支持部１９及び指状突起２０は、歯間清浄体１２と同じ軟質弾性プラスチックから構成される。
【００２８】
棒状支持体１１の中央部には握り部１６が形成され、この握り部はその表面に多数の平行に延びるフィンの形の隆起１８を有する。握り部１６も歯間清浄体１２及び清浄部１４と同じ軟質弾性プラスチックから構成される。
【００２９】
図２が示すように、歯間清浄体１２も清浄部１４もそれぞれ軟質弾性プラスチックからなるブリッジ状の結合部１７を介して握り部１９と一つのまとまった部品に結合され、この部品は従って完全に軟質弾性プラスチックから構成される。
【００３０】
図３は図１に従う口又は歯清浄器具の第１の変形された実施形態を示し、その際唯一の相違はブラシ状の清浄部１４の清浄要素１５の実施形態にある。図３に従う実施形態においては、清浄要素１５は複数の平行に延びる薄片２１の形に形成され、それらの薄片はそれぞれ棒状支持体１１の長手方向に直角に広がり且つ互いに平行に走っている。各薄片は波形又はジグザグ状に形成され、それによって薄片２１はより高い空間的安定性を備える。
【００３１】
図４は図３に従う口又は歯清浄器具の変形された実施形態を示し、その際ここでは清浄部１４の薄片２１は同心円の形に配置されている。
【００３２】
これまで示され記述された口又は歯清浄器具の実施形態は二重機能、即ちその一方の軸端には歯間清浄体、反対側の軸端には歯表面の清浄のための清浄部を備えている。図５から図７に示される口又は歯清浄器具はさらに加えて第３の機能を備えている。
【００３３】
図５及び図６が示すように、そこでの口又は歯清浄器具１０においては、棒状支持体１１の左側軸端に、すなわち清浄部１４が形成されているのと同じ軸端にさらに舌こそげ部（タングクリーナー）２２が形成されている。舌こそげ部２２は、棒状支持体１１の清浄部１４と反対側上に配置され突出したこそげ要素２３を備え、このこそげ要素は図５に示される実施例においては支持部１９から突出する複数のフィン２４によって形成されている。フィン２４は三日月形に形成され棒状支持体の長手方向に直角に走り次々と間隔をおいて配置されている。舌こそげ部２２は全体として、歯間清浄体、清浄部及び握り部と同じ軟質弾性プラスチックから構成することができるが、しかしまた、舌こそげ部２２のフィン２４は棒状支持体の形状安定性のプラスチックから構成することも可能である。
【００３４】
図５に従えば、舌こそげ部２２は、棒状支持体１１の長手方向に伸び同じ軟質弾性プラスチックから構成される結合部２６を介して歯間清浄体１２と一つのまとまったものに結合されている。棒状支持体１１の反対側上には（図６参照）、清浄部１４が軟質弾性材料からなる結合部２６を介して同様に歯間清浄体１２と結合され、その結果歯間清浄体１２、清浄部１４及び舌こそげ部２２は軟質弾性プラスチックからなる一つのまとまった部品に統合され、棒状支持体１１上に組み合わされて保持されている。
【００３５】
棒状支持体１１は、歯間清浄体１２を歯の間隙に挿入するのを容易にするため、その歯間清浄体１２を支持する端部領域において横へ曲げられている。
【００３６】
図７は、３重機能を持った口又は歯清浄器具１０の別の実施形態を示す。この器具は図５及び６に従う口又は歯清浄器具１０と、舌こそげ部２２のフィン２４が複数の同心円に配置されていることによって基本的に異なる。この場合も棒状支持体１１はその歯間清浄体を支持する端部において横へ曲げられており、清浄部１４及び舌こそげ部２２は歯間清浄体１２と共に同じ軟質弾性プラスチックから構成され、棒状支持体１１に沿って延びる同じ材料からなる両側の結合ブリッジ２６によって相互に結合されている。
【符号の説明】
【００３７】
１０  口又は歯清浄器具
１１  棒状支持体
１２  歯間清浄体
１３  清浄要素
１４  清浄部
１５  清浄要素
１６  握り部
１７  結合部
１８  隆起
１９  支持部
２０  指状突起
２１  薄片
２２  舌こそげ部
２３  こそげ要素
２４  フィン
２５  基礎部
２６  結合部
【図１】
0005977262.tif 000002
【図２】
0005977262.tif 000003
【図３】
0005977262.tif 000004
【図４】
0005977262.tif 000005
【図５】
0005977262.tif 000006
【図６】
0005977262.tif 000007
【図７】
0005977262.tif 000008